(57)【要約】【課題】  弾球遊技機全体を製造時に所定角度だけ後方に傾斜させた状態に設けることにより、遊技島への設置作業を簡便にする外枠構造を提供すること。【解決手段】  左右一対の一定幅寸法に形成された側枠板２と、それら側枠板の上端部２ａ並びに下端部２ｂ同士を連結する上枠板５及び下枠板８とにより縦長の矩形状に設けられる弾球遊技機の外枠構造において、側枠板２を下枠板８の下面８ａに対して所定角度だけ後方に傾斜させて当該下枠板８に固定した。【選択図】  図１
2005143978.tif 000002
【特許請求の範囲】
【請求項１】
左右一対の一定幅寸法に形成された側枠板と、それら側枠板の上端部並びに下端部同士を連結する上枠板及び下枠板とにより縦長の矩形状に設けられる弾球遊技機の外枠構造において、
前記側枠板が、前記下枠板の下面に対して所定角度だけ後方に傾斜して当該下枠板に固定されていることを特徴とする弾球遊技機の外枠構造。
【請求項２】
前記下枠板の後端部を前記側枠板の後端面よりも後方に突出させるように設けたことを特徴とする請求項１に記載の弾球遊技機の外枠構造。
【請求項３】
前記側枠板の上部後端縁に接するように通る鉛直方向の仮想線の位置まで、前記下枠板の後端縁を突出させるように設けたことを特徴とする請求項１又は２に記載の弾球遊技機の外枠構造。
【発明の詳細な説明】
【技術分野】
【０００１】
本発明は、パチンコ機、パチスロ機等の弾球遊技機全体を製造時に所定角度だけ後方に傾斜させた状態にて構成する外枠構造に関する。
【背景技術】
【０００２】
パチンコ機に代表される弾球遊技機においては、遊技者の打球発射操作により遊技領域に打ち込まれた遊技球が、釘や風車等により誘導されつつ遊技盤面に沿ってそのまま落下しアウト口に消えるか、遊技盤に設置された中央役物や入賞口に入賞する等の挙動を示す。その遊技盤面を転動する遊技球の入賞口への入賞確率は、遊技盤面の傾斜角度に大きく影響される。
【０００３】
このため、パチンコ機をパチンコホール内の遊技島に設置する場合に、遊技盤面が鉛直に保持され又は後方へ約１度で傾斜するように、パチンコ機全体を傾斜保持させることが行なわれる。例えば、図３に示すように、パチンコ機ｐを遊技島ｉの支持板ｊに載せて外枠ａの下枠板ｂの位置を決めてから、下枠板ｂを支持板ｊに釘ｎにより仮固定する。そして、パチンコ機ｐを僅かに後方に倒して外枠ａの傾斜角度を測定器具で測定し、その傾斜角度が所定角度ｘになるように適宜調節した後、遊技島ｉの棚板ｋから外枠ａの上枠板ｃに向けて釘ｎを打つ。これにより、パチンコ機ｐは遊技島ｉに所定角度ｘだけ傾斜した状態で固定される。ところが、かかる設置作業時にパチンコ機ｐを後方に倒したときに、図４に示すように、下枠板ｂの前端部が支持板ｊから浮いて不安定な状態になり、その状態で前記傾斜角度を保持しつつ固定を施さなければならないため、設置作業については、相当の熟練を要すると共に大変な手間がかかるという問題がある。
【０００４】
特開２００２−２１９２６５号公報の「弾球遊技機」には、遊技機本体を前後方向と直角な鉛直面に対して前後方向の倒れ角度を調整する角度調整手段が開示されている。その調整方法は、前枠を外した外枠を遊技島の支持板に仮止めし、角度調整手段の楔上調整部材を出し入れ又は角度調整ネジ操作することにより外枠の傾斜角度を所定角度に調整してから、棚板から外枠に釘を打ち込んで外枠を遊技島に固定している。
【特許文献１】特開２００２−２１９２６５号公報
【発明の開示】
【発明が解決しようとする課題】
【０００５】
本発明の目的は、弾球遊技機全体を製造時に所定角度だけ後方に傾斜させた状態に設けることにより、遊技島への設置作業を簡便にする外枠構造を提供することにある。
【課題を解決するための手段】
【０００６】
前記目的を達成するために請求項１に記載した発明は、左右一対の一定幅寸法に形成された側枠板と、それら側枠板の上端部並びに下端部同士を連結する上枠板及び下枠板とにより縦長の矩形状に設けられる弾球遊技機の外枠構造において、前記側枠板が、前記下枠板の下面に対して所定角度だけ後方に傾斜して当該下枠板に固定されていることを特徴とする。
【０００７】
同様の目的を達成するために請求項２に記載した発明は、請求項１に記載の弾球遊技機の外枠構造において、前記下枠板の後端部を前記側枠板の後端面よりも後方に突出させるように設けたことを特徴とするものである。
【０００８】
同様の目的を達成するために請求項３に記載した発明は、請求項１又は２に記載の弾球遊技機の外枠構造において、前記側枠板の上部後端縁に接するように通る鉛直方向の仮想線の位置まで、前記下枠板の後端縁を突出させるように設けたことを特徴とするものである。
【発明の効果】
【０００９】
この弾球遊技機の外枠構造によれば、弾球遊技機全体を予め後方に僅かに傾斜させた状態に構成しているので、弾球遊技機を遊技島に設置する作業を容易に行うことができる。
【００１０】
また、この弾球遊技機の外枠構造は、下枠板の後端部を側枠板の後端面よりも後方に突出させた状態に構成しているので、弾球遊技機に前方又は後方からの外力が作用しても安定性が良好である。
【００１１】
さらに、この弾球遊技機の外枠構造は、側枠板の上部後端縁に接するように通る鉛直方向の仮想線の位置まで下枠板の後端縁を突出させた状態に構成しているので、弾球遊技機の安定性が良く、遊技島の設置スペースも何ら変更を要しない。
【発明を実施するための最良の形態】
【００１２】
以下に、本発明の最良の形態例を図面に基づいて説明する。図１は本発明の外枠構造を適用したパチンコ機を遊技島に設置した状態を示す側面図、図２は図１における外枠の下端部周辺部分の拡大側面図である。
【００１３】
図１において、弾球遊技機としてのパチンコ機ｐの外枠１には、図示しないヒンジ金具により一側を支持される金属製の前面枠（図示せず）が開閉自在に設けられている。その前面枠の前面側には、図示しない遊技盤の前面を覆うガラス扉２０と、打球供給皿２２を有する上カバー２１と、下皿２５及び遊技球発射ハンドル２４を設けた下カバー２３とが夫々開閉自在に設けられている。また、前面枠の裏面側に固定される遊技盤の後方には、遊技球タンク、賞球処理装置等を備えた機構板２６が設けられている。
【００１４】
外枠１は、左右一対の一定幅寸法に形成された側枠板２と、それら側枠板２の上端部２ａ並びに下端部２ｂ同士を連結する上枠板５及び下枠板８とにより縦長の矩形状に設けられている。それら側枠板２は、下枠板８の下面８ａに対して所定角度、ここでは１度の角度だけ後方に傾斜させた状態にて、当該下枠板８に従前の継手構造により嵌め込んでビスにより締め付け固定されている。
【００１５】
側枠板２を傾斜させる方法としては、下枠板８の上面８ｂに宛がわれる側枠板２の下端面３，３を１度の傾斜角度に加工するか、下枠板８の下面８ａを上面８ｂに対して１度の傾斜角度に加工するかの何れかによる。
【００１６】
また、下枠板８の後端部９については、側枠板２の後端面４よりも後方に突出させるように設ける。その後端部９の突出量は、遊技島の設置スペースとの関係から、側枠板２の上部後端縁に接するように通る鉛直方向の仮想線ｖの位置までとするのが好ましい。
【００１７】
なお、この実施の形態における上枠板５は、側枠板２の後端面４に対して直角に配設されているところ、これを下枠板８と平行に配設することもできる。
【００１８】
かかる構成になる外枠１には、従前通り前面枠を取り付け、その前面枠に公知の遊技盤が固定される。しかして、パチンコ機ｐは、製造段階において、遊技盤面が、外枠１の側枠板２の傾斜角度と同一の角度、すなわち、１度の傾斜角度に保持された状態に構成される。
【００１９】
つぎに、本発明の外枠構造を適用したパチンコ機の遊技島への設置方法について述べる。
まず、パチンコ機ｐを遊技島ｉの支持板ｊに載せ、下枠板８の前端位置を支持板ｊの前端に揃えた後、下枠板８を支持板ｊに釘３１を打ち付けることにより固定する。そして、外枠ａの傾斜角度を測定器具で測定し、その傾斜角度が１度となっていることを確認する。ついで、遊技島ｉの棚板ｋから上枠板５に向けて釘３２を打つ。
これにより、パチンコ機ｐは、設計通り遊技島ｉに１度だけ後方に傾斜した状態で固定される。
【００２０】
図１に示す本発明の外枠構造を適用したパチンコ機と図３に示す従来の外枠を用いたパチンコ機とについて、水平面に置いて固定しない状態において前方又は後方から外力を作用させて転倒させる実験を行なった。その結果を表１、表２に示す。
【００２１】
【表１】
2005143978.tif 000003
【００２２】
【表２】
2005143978.tif 000004
【００２３】
実験の結果、本発明の外枠構造では、前方と後方への倒れ角度、換言すれば「倒れ難さ」について、従来の外枠構造と比較して夫々１２％、２５％もの向上することが確認された。
【００２４】
以上に述べた通り、この弾球遊技機の外枠構造によれば、弾球遊技機全体を製造時に後方に所定角度だけ傾斜させた状態に構成しているので、弾球遊技機を遊技島に設置する作業を容易に行うことができる。
【図面の簡単な説明】
【００２５】
【図１】本発明の外枠構造を適用したパチンコ機を遊技島に設置した状態を示す側面図
【図２】図１における外枠の下端部周辺部分の拡大側面図
【図３】従来の外枠を用いたパチンコ機を遊技島に設置した状態を示す側面図
【図４】図３における外枠の下端部周辺部分の拡大側面図
【符号の説明】
【００２６】
ｐ・・・パチンコ機
１・・・外枠
２・・・側枠板
２ａ・・・上端部  ２ｂ・・・下端部
４・・・後端面
５・・・上枠板
８・・・下枠板
８ａ・・・下面  ９・・・後端部
ｖ・・・鉛直方向の仮想線
ｉ・・・遊技島
【図１】
2005143978.tif 000005
【図２】
2005143978.tif 000006
【図３】
2005143978.tif 000007
【図４】
2005143978.tif 000008